(57)【特許請求の範囲】
【請求項１】
指針による実像表示手段と、該指針の前方に傾斜して設けられたハーフミラーによる虚像表示手段とを備えた車両用表示装置であって、
前記ハーフミラーの上部に虚像表示のための透明文字板を設け、該透明文字板を覆うカバー部材を、光透過性のドームの外表面に光反射膜を設けた構成とし、かつ前記透明文字板と前記カバー部材との間の端部に、光源を配置し、該光源からの光が前記透明文字板の画像を透過し、前記ハーフミラーに入射して該ハーフミラーで反射される直接像と、前記透明文字板の画像により反射され、前記カバー部材でさらに反射された反射像として前記ハーフミラーに入射して該ハーフミラーで反射される反射像とで形成され、前記直接像と前記反射像により、前記透明文字板の画像が各々ずれて立体的に視認可能としたことを特徴とする車両用表示装置。
【請求項２】
指針による実像表示手段と、該指針の前方に傾斜して設けられたハーフミラーによる虚像表示手段とを備えた車両用表示装置であって、
前記ハーフミラーの上部に虚像表示のための透明文字板を設け、該透明文字板を覆うカバー部材を、光透過性のドームの内面に光反射性のスウェード調塗装を施した構成とし、かつ前記透明文字板と前記カバー部材との間の端部に、光源を配置し、該光源からの光が前記透明文字板の画像を透過し、前記ハーフミラーに入射して該ハーフミラーで反射される直接像と、前記透明文字板の画像により反射され、前記カバー部材でさらに反射された反射像として前記ハーフミラーに入射して該ハーフミラーで反射される反射像とで形成され、前記直接像と前記反射像により、前記透明文字板の画像が各々ずれて立体的に視認可能としたことを特徴とする車両用表示装置。
【発明の詳細な説明】
【０００１】
【発明の属する技術分野】
本発明は、車両情報を表示する車両用表示装置に関し、詳しくは、指針およびインジケータによる実像表示と背景意匠による虚像表示の組み合わせで表示する車両用表示装置に関するものである。
【０００２】
【従来の技術】
従来の虚像表示可能な車両用表示装置は、図５に示すように、ケース１内の後部にムーブメント３で駆動される指針４が設けられ、この指針４の前方には、光透過性の反射部材であるハーフミラー６が上向きに所定の角度で配置されている。
【０００３】
また、ケース１の上部には、意匠・インジケータ表示部材１５がハーフミラー６に対して略４５度の角度で取付けられている。この意匠・インジケータ表示部材１５の上方にカバー部材１６が取付けられており、かつ意匠・インジケータ表示部材１５とカバー部材１６との間の両端部に、光源１４が配置されている。
【０００４】
そして、光源１４を点灯して、前面カバー５の前方からハーフミラー６を見ると、意匠・インジケータ表示部材１５の目盛意匠およびインジケータ表示が虚像表示面２に表示され、指針４による実像表示が虚像表示面２に重なって表示される。
【０００５】
【発明が解決しようとする課題】
上記したような従来の車両用表示装置は、インジケータ表示が虚像表示面２に表示され、指針４の表示と、意匠表示およびインジケータ表示が全て同一面であるため、立体感に欠け、ひいては意匠的に変化の乏しい表示しか得られない、という問題がある。
【０００６】
本発明は、上述の点に着目してなされたもので、文字板の目盛、数字の表示に立体感が得られ、以て変化に富んだ表示意匠が得られる車両用表示装置を提供することを目的とする。
【０００７】
【課題を解決するための手段】
前記目的を達成するため、請求項１記載の発明は、指針による実像表示手段と、該指針の前方に傾斜して設けられたハーフミラーによる虚像表示手段とを備えた車両用表示装置であって、前記ハーフミラーの上部に虚像表示のための透明文字板を設け、該透明文字板を覆うカバー部材を、光透過性のドームの外表面に光反射膜を設けた構成とし、かつ前記透明文字板と前記カバー部材との間の端部に、光源を配置し、該光源からの光が前記透明文字板の画像を透過し、前記ハーフミラーに入射して該ハーフミラーで反射される直接像と、前記透明文字板の画像により反射され、前記カバー部材でさらに反射された反射像として前記ハーフミラーに入射して該ハーフミラーで反射される反射像とで形成され、前記直接像と前記反射像により、前記透明文字板の画像が各々ずれて立体的に視認可能としたことを特徴とするものである。
【０００８】
このため、請求項１記載の発明では、ハーフミラーには目盛、数字の直接像とカバー部材からの反射像が入射され、この直接像と反射像とのずれにより、観察者には目盛、数字が２重に見え、これにより、目盛、数字の立体表示が得られる。
【０００９】
また、請求項２記載の発明は、指針による実像表示手段と、該指針の前方に傾斜して設けられたハーフミラーによる虚像表示手段とを備えた車両用表示装置であって、前記ハーフミラーの上部に虚像表示のための透明文字板を設け、該透明文字板を覆うカバー部材を、ドームの内面に光反射性のスウェード調塗装を施した構成とし、かつ前記透明文字板と前記カバー部材との間の端部に、光源を配置し、該光源からの光が前記透明文字板の画像を透過し、前記ハーフミラーに入射して該ハーフミラーで反射される直接像と、前記透明文字板の画像により反射され、前記カバー部材でさらに反射された反射像として前記ハーフミラーに入射して該ハーフミラーで反射される反射像とで形成され、前記直接像と前記反射像により、前記透明文字板の画像が各々ずれて立体的に視認可能としたことを特徴とするものである。
【００１０】
このため、請求項２記載の発明では、目盛、数字の背景となる塗装面が、凹凸状態となり、そのため、観察者には背景の凹凸部が視認でき、背景と目盛、数字との距離感の違いにより目盛、数字の立体表示が得られる。
【００１１】
【発明の実施の形態】
以下、本発明の実施の形態を図面に基づいて説明する。なお、図５と同一部材または同一機能のものは同一符号で示している。
【００１２】
図１は、本発明の一実施形態としての車両用表示装置Ａを示す。この車両用表示装置Ａは、ケース１内の後部にムーブメント３で駆動される指針４が設けられ、この指針４の前方には、光透過性の反射部材であるハーフミラー６が上向きに所定の角度で配置されている。ケース１の上部には、虚像表示のための意匠が施された透明文字板７がハーフミラー６に対して略４５度の角度で取付けられている。この透明文字板７は、図２に示すように、アクリル樹脂材等の光透過性樹脂製の円板８の表面に目盛９、数字１０を印刷したものである。
【００１３】
この透明文字板７の上方にドーム状のカバー部材１１が取付けられている。このカバー部材１１は、アクリル樹脂等の光透過性の樹脂材からなるドーム１１ａの外表面に光を反射する光反射膜１１ｂを、印刷や塗装等により形成したものである。これにより、光はカバー部材１１を透過せずに反射させることができる。
【００１４】
透明文字板７とカバー部材１１との間の両端部には、光源１４が配置されており、光源１４により透明文字板７の表面を照明する。これにより、図３に示すように、透明文字板７の目盛９、数字１０は、直接像として点線１５で示すようにハーフミラー６に入射してここで反射されると共に、カバー部材１１で反射された反射像として実線１６で示すようにハーフミラー６に入射してここで反射される。この際、点線１５の直接像と実線１６の反射像とがずれて反射されることにより、観察者１８には、目盛９、数字１０が各々ずれて２重に見え、結果的に立体的に見えるようになる。
【００１５】
図４は、本発明の他の実施形態としての車両用表示装置Ｂを示す。この車両用表示装置Ｂでは、カバー部材１１は、ドーム１１ａ（材質は任意である）の内面にスウェード調塗装１７を施したものである。
【００１６】
このようにスウェード調塗装１７を施すことにより、目盛９、数字１０の背景となる塗装１７面が凹凸状態となる。このため、光源１４を点灯すると、透明文字板７の目盛９、数字１０は、その光で表面が照明されると共に、反射により塗装１７面に映り込み、さらに塗装１７面で反射されて、ハーフミラー６を介して観察者１８の視認するところとなる。このとき、観察者１８には、目盛９、数字１０が塗装１７面の凹凸状態に起因して各々ずれて２重に見え、結果的に立体的に見えるようになる。
【００１７】
【発明の効果】
以上、詳述したように、請求項１記載の発明によれば、ハーフミラーの上部に虚像表示のための透明文字板を設け、該透明文字板を覆うカバー部材を、透明ドームの外表面に光反射膜を施した構成としたので、ハーフミラーには目盛、数字の直接像とカバー部材からの反射像が入射され、この直接像と反射像とのずれにより、観察者には目盛、数字が２重に見え、これにより、目盛、数字が立体的に見え、以て変化に富んだ表示意匠が得られる。
【００１８】
また、請求項２記載の発明によれば、カバー部材を、ドームの内面に光反射性のスウェード調塗装を施した構成としたので、目盛、数字の背景となる塗装面が凹凸状態となり、このため、観察者には、目盛、数字が塗装面の凹凸状態に起因して各々ずれて２重に見え、これにより、目盛、数字が立体的に見え、以て変化に富んだ表示意匠が得られる。
【図面の簡単な説明】
【図１】本発明の車両用表示装置の一実施の形態を示す縦断側面図である。
【図２】透明文字板の平面図である。
【図３】図１の車両用表示装置の作用説明図である。
【図４】本発明の車両用表示装置の他の実施の形態を示す縦断側面図である。
【図５】従来の車両用表示装置の縦断側面図である。
【符号の説明】
４  指針
６  ハーフミラー
７  透明文字板
１１  カバー部材
１１ａ  ドーム
１１ｂ  光反射膜
１４  光源
１７  スウェード調塗装
Ａ，Ｂ  車両用表示装置
【図１】
0003765977.tif 000002
【図２】
0003765977.tif 000003
【図３】
0003765977.tif 000004
【図４】
0003765977.tif 000005
【図５】
0003765977.tif 000006